(57)【特許請求の範囲】
【請求項１】
テーブルの上方に上下動可能かつ左右方向へ傾動可能に配置された丸鋸本体が、前記テーブルに対し面方向に相対的に移動することによって前記テーブル上に載置された被切断材を切断する構成のスライド丸鋸盤であって、
前記丸鋸本体は、２段階のスライド機構を介して前記テーブルに支持されており、
該スライド機構は、前記テーブルの面方向に移動可能に支持され、該テーブルの面方向に一定の間隔をおいて相互に平行な一対のスライドバーと、該両スライドバーに掛け渡し状に設けられて、該スライドバーと同じ方向に移動可能に支持された支持部を備え、該支持部に前記丸鋸本体が支持されて、該丸鋸本体が、前記スライドバーの前記テーブルに対する移動動作と、前記スライドバーに対する前記支持部の移動動作であって手動操作による相互に独立した２段階のスライド動作により前記テーブルに対してテーブル面方向に移動可能な構成としたスライド丸鋸盤。
【請求項２】
テーブルの上方に上下動可能かつ左右方向へ傾動可能に配置された丸鋸本体が、前記テーブルに対し面方向に相対的に移動することによって前記テーブル上に載置された被切断材を切断する構成のスライド丸鋸盤であって、
前記丸鋸本体は、２段階のスライド機構を介して前記テーブルに支持されており、
該スライド機構は、前記テーブルの面方向に移動可能に支持され、該テーブルの面方向に一定の間隔をおいて相互に平行な一対のスライドバーと、該両スライドバーに掛け渡し状に固定された支持部と、該支持部に、前記スライドバーと同じ方向に移動可能に支持された相互に平行な一対のアッパスライドバーを備え、該アッパスライドバーに前記丸鋸本体が支持されて、該丸鋸本体が、前記スライドバーの前記テーブルに対する移動動作と、前記支持部に対する前記アッパスライドバーの移動動作であって手動操作による相互に独立した２段階のスライド動作により前記テーブルに対してテーブル面方向に移動可能な構成としたスライド丸鋸盤。
【発明の詳細な説明】
【０００１】
【発明の属する技術分野】
この発明は、被切断材を載置可能なテーブルの上方に上下動可能に配置された丸鋸本体を、下降動作後においてテーブルの面方向に直線的に移動させて被切断材を切断する構成のスライド丸鋸盤に関する。
【０００２】
【従来の技術】
この種のスライド丸鋸盤は、例えば特開平１１−９０７３０号公報に開示されている。公報記載のスライド丸鋸盤は、鋸刃が備えられた丸鋸本体を、テーブルの面方向にスライドバーを介して移動可能に構成したものであり、これによれば、切断すべき被切断材（木材）をテーブル上面にセットした状態で、丸鋸本体を被切断材に向かって下降（傾動操作）後、テーブルの面方向に移動させることによって、幅広の被切断材を切断することができる。
【０００３】
【発明が解決しようとする課題】
上記の公報記載のスライド丸鋸盤において、テーブルに設定されるスライドバーの移動範囲を拡大することによって、切断能力（最大切断幅の拡大）を高めようとすると、テーブル、延いては丸鋸盤全体の大型化を招くことになる。
【０００４】
本発明は、上述した従来の問題点に鑑みてなされたものであり、その目的とするところは、丸鋸本体がテーブルの面方向に移動可能に構成されているスライド丸鋸盤において、テーブルの大型化を回避する態様で、丸鋸本体の移動量の拡大を図ることにある。
【０００５】
【課題を解決するための手段】
上記課題を達成するため、本発明に係るスライド丸鋸盤は、特許請求の範囲の各請求項に記載の通りの構成を備えた。
請求項１に記載の発明においては、スライド丸鋸盤において、テーブルの面方向に対する丸鋸本体の相対移動が、複数段で行われるように構成されている。このことによって、テーブルの大型化を回避した態様で、丸鋸本体の移動量を拡大することが可能となる。
また、請求項１に記載の発明においては、丸鋸本体の２段階の相対移動は、テーブルに支持されかつ丸鋸本体を支持する支持部と、該支持部に対する丸鋸本体及び／又はテーブルとの相対移動によって達成される構成としている。このような構成によれば、丸鋸本体はテーブルに対して支持部を介して２段階の相対移動が可能とされる。
従って、請求項１に記載の発明によれば、テーブルを大型化することなく、丸鋸本体の移動量を拡大することが可能となる。換言すれば、従来と同一の移動量に設定したときは、テーブルを含めた丸鋸盤全体のコンパクト化を図ることが可能となる。
【０００６】
この場合において、請求項２に記載したように、丸鋸本体の２段階の相対移動は、テーブルと支持部との相対移動及び前記丸鋸本体と前記支持部との相対移動で達成される構成とすることが好ましい。このような構成によれば、テーブルを大型化することなく、丸鋸本体の移動量を拡大できる。
【０００７】
また、特許請求の範囲には含まれない以下の関連発明によっても、同様の作用効果を得ることができる。この関連発明は、「テーブルの上方に上下動可能に配置された丸鋸本体が、前記テーブルに対し面方向に相対的に移動することによって前記テーブル上に載置された被切断材を切断する構成のスライド丸鋸盤であって、前記丸鋸本体は、複数段階のスライド機構を介して前記テーブルに支持されており、該スライド機構は、前記テーブルの面方向に移動可能に支持された相互に平行な一対の中空状に形成されたアウタースライド部材と、該両アウタースライド部材内に軸方向に相対移動可能に嵌入されたインナースライド部材と、該両インナースライド部材に掛け渡し状に支持された支持部を備え、該支持部に前記丸鋸本体が支持されて、該丸鋸本体が、前記アウタースライド部材の前記テーブルに対する移動動作と、該アウタースライド部材に対する前記インナースライド部材の移動動作による複数段階で前記テーブルに対してテーブル面方向に移動可能な構成としたスライド丸鋸盤」と特定することができる。
この関連発明においては、丸鋸本体の相対移動は、中空状に形成されたアウターースライド部材の移動と、そのアウタースライド部材内に嵌入されたインナースライド部材の移動とによって達成される構成としたものである。このような構成によれば、少ないスペースでスライド構造を成立させることが可能となる。
【０００８】
【発明の実施の形態】
以下、本発明の第１の実施の形態を図１〜図３に基づいて説明する。この第１の実施形態が請求項１に記載した発明の実施形態に相当する。図１及び図２はそれぞれスライド丸鋸盤を示す側断面図であり、図１にはスライド前の状態が示され、図２にはスライド後の状態が示されている。また、図３は丸鋸本体及びそれを支持するアームが省略されたスライド丸鋸盤の一部を切断して示す平面図である。
図示のように、スライド丸鋸盤１は、床面に載置されるベース２、そのベース２に取り付けられる回転式のテーブル５、及びそのテーブル５の上方に配置されるとともに、下降動作によってテーブル５上にセットされた被切断材Ｗを切断するための丸鋸本体２０等を主たる構成部材として備えている。
【０００９】
切断すべき被切断材Ｗは、テーブル５の被切断材載置面である上面５ａに載置されるとともに、ベース２上の後側に立設されたフェンス３の被切断材当接面３ａに一面を当接した状態で、図示省略の被切断材押さえによって上方から押さえ込まれて固定される。そして、その固定状態で、丸鋸本体２０が下降動作されたとき、電動モータ（図示省略）によって回転駆動される鋸刃２１によって切断される。図１及び図２にはそれぞれ丸鋸本体２０の下降状態が示されている。なお、テーブル５には被切断材Ｗの切断作業時に鋸刃２１が貫通可能な刃口５ｂが設けられているが、この刃口５ｂはテーブル５の外周の一部を径方向へ延長させて形成したテーブルロック取付部６にまで及んでいる。また、フェンス３は図３に示すように、刃口５ｂを挟んで両側に設けられている。
【００１０】
鋸刃２１はその平面視での切断方向（以下、切り込み線という）がフェンス３の被切断材当接面３ａに対して直角をなすように配置されている。従って、通常は直角切りとなるが、この直角切りを標準として、テーブル５及び丸鋸本体２０を一体的に水平回動させてフェンス３に対する切り込み角度を変更することによって、被切断材Ｗを上面から見て斜め、横から見て真っ直ぐに切断することが可能とされている。以下、この切断を角度切りという。
【００１１】
上記の角度切りを可能とするために、フェンス３の被切断材当接面３ａと切り込み線との交差点の真下にテーブル５の回転中心が設定されている。すなわち、テーブル５は回転中心に配置される縦軸７を介してベース２に回転可能に取り付けられている。従って、テーブル５と共に丸鋸本体２０を縦軸７回りに回動することによって、フェンス３の被切断材当接面３ａに対する鋸刃２１の切り込み角度を調整することができる。
【００１２】
また、テーブル５には角度調整後のテーブル５をベース２に固定するためのテーブルロック機構１０が備えられている。このテーブルロック機構１０は、一定角度毎にテーブル５をベース２に位置決めするためのポジティブロック用の第１のロックピン１１と、位置決め位置に強固に固定するための第２のロックピン１２とを有している。図３に示すように、ベース２にはテーブル５の回動支点を中心とする少なくとも半円弧形のロック用側壁部４が備えられ、そのロック用側壁部４には円周方向に一定ピッチ毎に凹部（切欠）４ａが設けられている。
第１のロックピン１１は、ロック用側壁部４の凹部４ａにバネ１４によって押されて係合され、ロック解除用の操作レバー１３の摘み部１３ａを上方から加圧操作したときにバネ１４に抗して後退されて凹部４ａから抜け出る構成となっている。第２のロックピン１２はテーブル５に螺合されており、操作ノブ１２ａを回動操作することによって先端が加圧プレート１５を介してロック用側壁部４を押し付けてロックし、その押し付けを解除することでロックが解除される構成となっている。
【００１３】
次に、テーブル５に対する丸鋸本体２０の取付関係（支持関係）について説明する。テーブル５には２本のスライドバー３１が水平方向に設けられ、そのスライドバー３１の一端にはアームホルダー２４を介して支持されるアーム２２が設けられ、そのアーム２２に丸鋸本体２０が支持されている。なお、上記のアームホルダー２４が本発明でいう丸鋸本体２０を支持する支持部に対応する。
アーム２２はスライドバー３１の上方を通ってテーブル５上面側に向かって延出されており、その先端部に支持軸２３を介して丸鋸本体２０が上下方向に傾動可能に取り付けられている。丸鋸本体２０は常には図示省略のリターンバネによって上方の待機（初期）位置に保持されており、従って、被切断材の切断作業時の下降動作は、このリターンバネのバネ力に抗して行われる。
【００１４】
また、被切断材Ｗを上から見て真っ直ぐ、横から見て斜めに切断（以下、この切断を傾斜切りという）を可能とするために、アーム２２がアームホルダー２４に対して横軸２５を介して左右方向に傾動可能に取り付けられている。なお、アームホルダー２４に対するアーム２２の傾動動作は、アームホルダー２４に形成された傾動支点を中心とする円弧状のガイド面２４ａによって安定に支持された状態で行われるようになっている。なお、横軸２５の軸線は、テーブル５の上面５ａ上で、かつ刃口５ｂの延長線上に設定されている。このことにより、テーブル５の上面５ａに対する鋸刃２１の角度（通常は直角位置を標準とする）が調整可能とされている。
横軸２５はアーム２２に設けたねじ孔に螺合されており、軸端に取り付けた操作レバー２６を回動操作することによって、アームホルダー２４に対するアーム２２の固定及びその解除が可能となっている。
【００１５】
次に、上記のように構成されて角度切り及び傾斜切りが可能とされたスライド丸鋸盤１のスライド機構３０を説明する。テーブル５に対して丸鋸本体２０を相対移動させるためのスライド機構３０は、互いに平行に配置されたスライド部材としての左右２本のスライドバー３１を主体に構成されている。スライドバー３１はテーブル５の上下幅内において軸受（リニアボールベアリング）３２を介してテーブル５の面方向（水平方向）に移動可能に取り付けられ、その突出端部にアームホルダー２４が軸受（リニアボールベアリング）３３を介して軸方向に移動可能に取り付けられている。
【００１６】
スライドバー３１は円形断面に形成され、移動方向の両端部において前後のタイバー３４，３５によって結合されており、前側（図示右側）のタイバー３４がベース２に設けた前後のストッパ３６，３７に当接することでその移動範囲が規定される。なお、後側のストッパ３７は、テーブル５のボス部に設けられている。また、アームホルダー２４は、２本のスライドバー３１に対して掛け渡し状に設けられて、軸受３３のアウタケース３３ａがスライドバー３１に設けた後側（図示左側）のタイバー３５と、スライドバー３１の軸方向略中程に設けたストッパリング３８に当接することでその移動範囲が規定される。
このように、丸鋸本体２０は、スライドバー３１の移動と、スライドバー３１に対するアームホルダー２４の移動との２段階で移動できるように構成されており、図１及び図２にはスライドバー３１の移動量がＳ１で示され、アームホルダー２４の移動量がＳ２で示されている。
【００１７】
また、丸鋸本体のスライド動作を固定して一般的な丸鋸盤としての使用形態を可能とするために、ベース２には、スライドバー３１の移動をロックするためのスライドロック機構４１が設けられている。スライドロック機構４１は、スライドバー３１に対して該スライドバー３１が軸方向に移動できるように嵌合されるとともに、ベース２側に対しては止めネジ４２によって固定される補助リング４３と、ベース２を貫通して補助リング４３に設けたねじ孔に螺合されるとともにスライドバー３１の外周面に先端が当接可能なロックネジ４４とから構成されている。従って、ロックネジ４４を締め付けて先端をスライドバー３１に押し付けることによってスライドバー３１の移動をロックすることができる。
一方、アームホルダー２４側にもスライドバー３１の場合と同様に構成されるスライドロック機構４１が設けられており、ロックネジ４４を操作することによってスライドバー３１に対するアームホルダー２４の移動をロックすることができる。
【００１８】
本実施の形態においては、上記のように、丸鋸本体２０はテーブル５に対してスライドバー３１の移動と、スライドバー３１に対するアームホルダー２４の移動との２段階で移動できる構成、すなわち、丸鋸本体２０を支持する支持部としてのアームホルダー２４を介して２段階で相対移動できる構成としたものである。従って、テーブル５上にセットされた被切断材Ｗを切断するに際しては、図１に示すように、丸鋸本体２０を最も手前（図示右側）へ移動した状態で支持軸２３を支点にして下方へ傾動させて鋸刃２１を被切断材Ｗに切り込んだ後、丸鋸本体２０をフェンス３側（図示左側）へ押動することによって、図２に示すように、被切断材Ｗを切断することができる。
この場合において、丸鋸本体２０は、スライドバー３１の移動量Ｓ１と、アームホルダー２４の移動量Ｓ２とを合計した移動量Ｓ１＋Ｓ２で移動できるため、従来に比べて総移動量が拡大される。すなわち、テーブル５に対するスライドバー３１の移動量Ｓ１を従来と同様に設定したときは、アームホルダー２４の移動量Ｓ２分だけ拡大できる。従って、このときのスライドバー３１の移動領域については、従来と同様に設定できるため、テーブル５の大型化が回避される。換言すれば、丸鋸本体２０の総移動量を従来と同様に設定したときは、スライド丸鋸盤１全体のコンパクト化が可能となる。
【００１９】
次に、特許請求の範囲に記載した発明とは異なる関連発明の実施形態（第２の実施の形態）を図４に基づいて説明する。この第２の実施形態はテーブル５に対して丸鋸本体２０を相対移動させるためのスライド機構３０に係る変更例であって、この実施の形態においては、２本の第１のスライドバー５１が中空状に形成されるとともに、テーブル５に対して軸受（リニアボールベアリング）３２を介して移動可能に取り付けられている。そして、第１のスライドバー５１内に第２のスライドバー５２がそれぞれ軸受（リニアボールベアリング）３３を介して移動可能に嵌合され、その第２のスライドバー５２にアームホルダー２４が固着されている。上記の第１のスライドバー５１が本発明でいうアウタースライド部材に対応し、第２のスライドバー５２が本発明でいうインナースライド部材に対応する。
【００２０】
そして、第１のスライドバー５１は、その外周に設けた前後のストッパ５１ａ，５１ｂが軸受３２のアウタケース３２ａの軸方向端面に当接することによって移動範囲が規定され、また、第２のスライドバー５２は、その外周に設けた前後のストッパ５２ａ，５２ｂが軸受３３のアウタケース３３ａの軸方向端面に当接することによって移動範囲が規定される。なお、その他については、前述した第１の実施の形態と同様に構成される。
【００２１】
従って、第２の実施の形態においても、丸鋸本体２０は、テーブル５に対する第１のスライドバー５１の移動と、該第１のスライドバー５１に対する第２のスライドバー５２の移動とによる２段階で移動することができる。特に、第２の実施の形態においては、中空の第１のスライドバー５１内に第２のスライドバー５２が差し込まれる、いわゆるテレスコープ構造としたので、少ないスペースでスライド構造を成立させることができ、よりコンパクト化が可能となる。
【００２２】
次に、請求項２に記載した発明の実施形態（第３の実施の形態）を図５に基づいて説明する。この第３の実施形態においては、テーブル５に対して丸鋸本体２０を相対移動させるためのスライド機構３０が、丸鋸本体２０を支持する支持部としてのアームホルダー２４を介してテーブル５に相対移動可能に取り付けられ、また支持部であるアームホルダー２４に対して丸鋸本体２０が相対移動可能に取り付けられることによって、２段階で移動できる構成となっている。
テーブル５に対するアームホルダー２４の移動構造としては、第１の実施の形態で説明したスライドバー３１がテーブル５に軸受３２を介して移動する構造が採用されており、スライドバー３１に対してはアームホルダー２４が固着された構成となっている。なお、スライドバー３１の移動をロックするスライドロック機構４１等については、第１の実施の形態と同様のため、同一符号を付してその説明を省略する。
【００２３】
一方、アームホルダー２４に対する丸鋸本体２０の移動構造として、該アームホルダー２４の上部に保持器６１が設けられ、その保持器６１にアッパスライドバー６２が前記スライドバー３１と平行な軸方向に移動可能（周方向には回転不能）に取り付けられた構成となっている。そして、アッパスライドバー６２の一端に丸鋸本体２０がブラケット６３を介して上下方向に回動可能に取り付けられている。かくして、丸鋸本体２０はアームホルダー２４に対して移動可能に取り付けられ、図示省略のストッパにてその移動範囲が規定されている。なお、アッパスライドバー６２は伸縮自在な防塵カバー６４によって被われている。
また、図示はしないが、保持器６１にはアッパスライドバー６２の移動をロックするための第１の実施の形態で説明したスライドロック機構４１と同様なスライドロック機構が設けられている。なお、その他に関し、前述した第１の実施の形態と同様な構成については、同一符号を付してその説明を省略する。
【００２４】
上記のように、第３の実施の形態においては、丸鋸本体２０は、テーブル５に対して支持部としてのアームホルダー２４がスライドバー３１を介して移動し、また、アームホルダー２４に対して丸鋸本体２０自体がアッパスライドバー６２を介して移動することによって、２段階で移動することができる。
従って、この実施の形態によれば、丸鋸本体２０は、テーブル５に対してスライドバー３１の移動量Ｓ１と、アッパスライドバー６２の移動量Ｓ２とを合計した移動量Ｓ１＋Ｓ２で移動できるため、テーブル５を大型化することなく、総移動量を拡大できる。
【００２５】
なお、本発明は図示の実施の形態に限定されるものではなく、その要旨を逸脱しない範囲内で適宜変更することが可能である。
例えば、角度切り及び傾斜切りの機能を備えたスライド丸鋸盤１で記載したが、上記の機能を有しない態様で実施してもよい。また、スライドバー３１，５１の数あるいは断面形状等については、自由に変更してもよい。
また、２段式のスライド構造としたが、更に移動段数を増やしてもよい。また、第２の実施の形態において、第１のスライドバー５１内に第２のスライドバー５２が移動可能に嵌合する構成としては、例えば図６に示すように、第１のスライドバー５１を断面溝形に形成し、そのスライドバー５１内に第２のスライドバー５２が互いに係合する凹部５１ｃと凸部５２ｃを介して移動可能に係合する構成、あるいは図７に示すように、２本のスライドバー５１を断面コ字形に形成するとともに、それら両スライドバー５１間に１つの第２のスライドバー５２が移動可能に嵌合する構成等に変更してもよい。
【００２６】
また、第３の実施の形態では、支持部としてのアームホルダー２４がスライドバー３１を介してテーブル５に移動可能とされ、そのアームホルダー２４に丸鋸本体２０がアッパスライドバー６２を介して移動可能に構成されるとしたが、第１の実施の形態で説明したような２段階の移動構造、あるいは第２の実施の形態で説明したような２段階の移動構造を、アームホルダー２４に対する丸鋸本体２０の移動構造として採用してもよい。
【００２７】
【発明の効果】
以上詳述したように、本発明によれば、丸鋸本体がテーブルの面方向に移動可能に構成されているスライド丸鋸盤において、テーブルの大型化を回避する態様で、丸鋸本体の移動量を拡大することができる。
【図面の簡単な説明】
【図１】  第１の実施の形態に係るスライド丸鋸盤を示す側断面図であり、スライド前の状態を示す。
【図２】  同じくスライド丸鋸盤を示す側断面図であり、スライド後の状態を示す。
【図３】  丸鋸本体及びそれを支持するアームが省略されたスライド丸鋸盤の一部を切断して示す平面図である。
【図４】  第２の実施の形態に係るスライド機構を示す断面図である。
【図５】  第３の実施の形態に係るスライド丸鋸盤の一部を破断して示す側断面図である。
【図６】  スライド機構の変更例を示す説明図である。
【図７】  スライド機構の他の変更例を示す説明図である。
【符号の説明】
１ スライド丸鋸盤
２ ベース
５ テーブル
２０ 丸鋸本体
２１ 鋸刃
２２ アーム
２４ アームホルダー
３０ スライド機構
３１ スライドバー
３２ 軸受
３３ 軸受
【図１】
0004454842.tif 000002
【図２】
0004454842.tif 000003
【図３】
0004454842.tif 000004
【図４】
0004454842.tif 000005
【図５】
0004454842.tif 000006
【図６】
0004454842.tif 000007
【図７】
0004454842.tif 000008